(57)【特許請求の範囲】
【請求項１】
１つ又はそれ以上のデバイスを選択するデバイス選択構造であって、
入力ポート及び出力ポートをそれぞれ有する複数のデバイスと、
前記複数のデバイスと連動されて移動可能に設置される移動板、入力コネクタ、及び出力コネクタを含むデバイスモジュールとを有し、
前記移動板の移動の間に予め定められた位置で前記複数のデバイスの入力ポート及び出力ポートが前記デバイスモジュールの入力コネクタ及び出力コネクタに順次に接続されるように前記デバイスモジュールの入力コネクタ及び出力コネクタと前記複数のデバイスの入力ポート及び出力ポートとが設置され、
前記複数のデバイスは相異する動作特性を有し、前記複数のデバイスのうち前記デバイスモジュールの入力コネクタ及び出力コネクタと接続するデバイスが選択的に動作する
ことを特徴とするデバイス選択構造。
【請求項２】
前記移動板の移動は回転移動であり、前記移動板は回転可能に設置される回転板であることを特徴とする請求項１に記載のデバイス選択構造。
【請求項３】
前記デバイスモジュールは、前記移動板の移動状態を感知し、前記感知に従う感知信号を外部に出力する少なくとも１つの位置センサーをさらに含むことを特徴とする請求項１
に記載のデバイス選択構造。
【請求項４】
前記デバイスモジュールは、外部の制御信号に従って前記移動板を固定する固定機構部をさらに含むことを特徴とする請求項１に記載のデバイス選択構造。
【請求項５】
前記複数のデバイスは、２つ又はそれ以上のレイヤーで積層され、前記デバイスモジュールは、前記複数のデバイスのレイヤー別に前記入力コネクタ及び出力コネクタを含み、
前記移動板の移動の間に予め定められた位置で前記複数のデバイスの入力ポート及び出力ポートが前記デバイスモジュールの各レイヤーで前記デバイスモジュールの入力コネクタ及び出力コネクタに順次に接続されるように前記複数のデバイスの入力ポート及び出力ポートと前記デバイスモジュールの入力コネクタ及び出力コネクタとが設置されることを特徴とする請求項１に記載のデバイス選択構造。
【請求項６】
前記デバイスは、フィルターであることを特徴とする請求項１乃至請求項５の中のいずれか１項に記載のデバイス選択構造。
【請求項７】
前記フィルターは、球状又は球に近接した形状のフィルターであることを特徴とする請求項６に記載のデバイス選択構造。
【請求項８】
前記複数のデバイスの入力ポート及び出力ポートは、非接触式接続方式で前記デバイスモジュールの入力コネクタ及び出力コネクタに接続され、キャパシタンスカップリングを通して信号が送信されることを特徴とする請求項６に記載のデバイス選択構造。
【請求項９】
前記複数のデバイスの入力ポート及び出力ポートは、非接触式接続方式で前記デバイスモジュールの入力コネクタ及び出力コネクタに接続され、キャパシタンスカップリングを通して信号が送信されることを特徴とする請求項１乃至請求項５の中のいずれか１項に記載のデバイス選択構造。
【請求項１０】
前記デバイスは、球状又は球に近接した形状のフィルターであることを特徴とする請求項９に記載のデバイス選択構造。
【発明の詳細な説明】
【技術分野】
【０００１】
本発明は、複数のデバイス（device）の中で１つ又はそれ以上のデバイスを選択し、選択されたデバイスを動作させるためのデバイス選択構造に関する。
【背景技術】
【０００２】
近年、様々な技術分野で使用される電気及び電子装置では、その内部に特定の機能を実行するために複数のデバイスを備え、これらの中で１つ又はそれ以上のデバイスを例えば、スイッチなどを使用して選択し動作させるように構成され得る。このようなデバイスは、動作範囲、動作基準、及び動作方式などで異なり得る。対応するデバイスの設置環境又は動作条件に従って、複数のデバイスの中で最も適合した特性を有する１つのデバイスが手動又は自動で選択され得る。
【０００３】
この場合に、所望する特性を有するデバイスは、スイッチを用いて所望するデバイスに信号処理経路を確立することにより選択され得る。
【発明の概要】
【発明が解決しようとする課題】
【０００４】
本発明の目的は、少なくとも上述した問題点及び／又は不都合に取り組み、少なくとも以下の便宜を提供することにある。すなわち、本発明の目的は、処理信号の損失を減少させることができるデバイス選択構造を提供することにある。
【０００５】
本発明の他の目的は、より簡単であり低コストで実現することができるデバイス選択構造を提供することにある。
【課題を解決するための手段】
【０００６】
上記のような目的を達成するために、本発明の実施形態の一態様によれば、複数のデバイスの中で１つ又はそれ以上のデバイスを選択するデバイス選択構造であって、入力ポート及び出力ポートをそれぞれ有する複数のデバイスと、前記複数のデバイスと連動されて移動可能に設置される移動板、入力コネクタ、及び出力コネクタを含むデバイスモジュールとを有し、前記移動板の移動の間に予め定められた位置で前記複数のデバイスの入力ポート及び出力ポートが前記デバイスモジュールの入力コネクタ及び出力コネクタに順次に接続されるように前記デバイスモジュールの入力コネクタ及び出力コネクタと前記複数のデバイスの入力ポート及び出力ポートとが設置されることを特徴とする。
【発明の効果】
【０００７】
本発明によるデバイス選択構造は、従来のスイッチ構造を採用しないので、従来のスイッチ構造による信号損失を減少させることができ、より簡単であり低コストで実現されることができる。
【図面の簡単な説明】
【０００８】
【図１】本発明のデバイス選択構造に置き換えられることができる仮想構造のブロック図である。
【図２】本発明の一実施形態によるデバイス選択構造のブロック図である。
【図３】本発明の一実施形態によるデバイス選択構造の概略的な斜視図である。
【図４】本発明の他の実施形態によるデバイス選択構造の主要部の概略的な斜視図である。
【発明を実施するための形態】
【０００９】
以下、本発明の好適な実施の形態を添付した図面を参照して詳しく説明する。また、以降の説明では、具体的な特定事項を示しているが、これは、本発明の範囲及び趣旨を逸脱することなく、ここに説明する実施形態の様々な変更及び修正が可能であるということは、当該技術分野における通常の知識を有する者には明らかである。また、明瞭性と簡潔性の観点から、当業者に良く知られている機能や構成に関する具体的な説明は、省略する。
【００１０】
次の説明では、本発明のデバイス選択構造が無線通信基地局（ＢＳ）システム又は中継局システムなどに適用されることを例を挙げて説明する。無線通信基地局システム又は中継局システムは、送信信号又は受信信号をフィルタリングするために少なくとも１つのフィルターを採用し得る。サービス帯域が対応するシステムのサービスプロバイダーの事業条件に基づいて変更される必要がある場合に、無線信号のフィルタリング帯域が変更されなければならない。このために、既存のフィルターを置き換える作業は、時間又はコストの観点で非効率的である。
【００１１】
したがって、上記した場合には、異なるフィルタリング特性を有する複数のフィルターが予め設置され、これらの中の１つのフィルターがスイッチを用いて選択される構造を採用する方式を考慮し得る。
【００１２】
図１は、本発明のデバイス選択構造に置き換えられることができる仮想構造のブロック図である。図１を参照すると、この構造は、入力ポートスイッチ８、出力ポートスイッチ９、及び複数のフィルター１１、１２、１３、及び１４を有するフィルターモジュール１０を含む。この時、フィルターモジュール１０の複数のフィルター１１、１２、１３、及び１４は、異なる通過帯域を有するように設計される。入力ポートスイッチ８及び出力ポートスイッチ９のそれぞれは、複数のフィルター１１乃至１４の中のいずれか１つに入出力経路を接続するか又は複数のフィルター１１乃至１４のいずれも経路を接続しない１：Ｎ（図１における１：５）スイッチング構造を有し得る。
【００１３】
上述した構成において、入力信号が入力ポートスイッチ８を通過し、フィルターモジュール１０に提供された後に、出力ポートスイッチ９に提供されるので、入力ポートスイッチ８及び出力ポートスイッチ９を通過する間に信号が大幅に損失される。このような関係において、本発明は、入力ポートスイッチ８及び出力ポートスイッチ９を使用せず所望のデバイス（例えば、フィルター）を選択するための構造を提供する。
【００１４】
図２は、本発明の一実施形態によるデバイス選択構造のブロック図であり、図３は、本発明の一実施形態によるデバイス選択構造の概略的な斜視図である。図２及び図３を参照すると、デバイス選択構造は、スイッチ構造を採用せず、複数のフィルター２１乃至２４を有するフィルターモジュール２０だけを含む。複数のフィルター２１乃至２４は、回転可能に設けられる回転板３０上に相互に上下左右に対称的に設置される。したがって、複数のフィルター２１乃至２４は、回転板３０の回転に沿って回転する。
【００１５】
この時、それぞれのフィルター２１乃至２４の入出力ポートが回転板３０の回転の間に同一の軌道に沿って移動するようにフィルター２１乃至２４を構成することが重要である。具体的に、複数のフィルター２１乃至２４の入出力ポートは、回転板３０の回転の間に予め定められた接続位置（すなわち、フィルターモジュールの入力及び出力コネクタが設置された位置）でフィルターモジュール２０の入力コネクタ２２２及び出力コネクタ２２４に順次に接続される。すなわち、複数のフィルター２１乃至２４がフィルターモジュール２０の入力コネクタ２２２及び出力コネクタ２２４に接続される位置に移動する場合には、それぞれのフィルター２１乃至２４の入出力ポートがフィルターモジュール２２２及び２２４に正確に対応するようにフィルター２１乃至２４が設計される。図２及び図３の例において、第１のフィルター２１の入力ポート２１２及び出力ポート２１４がフィルターモジュール２０の入力コネクタ２２２及び出力コネクタ２２４にそれぞれ接続される。
【００１６】
このようなフィルター２１乃至２４の入力ポート及び出力ポートは、図３の一点鎖線Ａで示すように、相互キャパシタンスカップリングを通して信号を送信する非接触方式で入力コネクタ２２２及び出力コネクタ２２４に接続され得る。
【００１７】
複数のフィルター２１乃至２４を装着する回転板３０は、ギア構造を備える。このようなギア構造は、外部の回転制御信号に従って駆動される駆動モータ３４に接続された動力転送ギア構造３２と連動されて回転する。
【００１８】
また、回転板３０の回転状態、すなわち、回転板３０に装着されたフィルター２１乃至２４の位置を感知するために、複数の位置センサー４１乃至４５をさらに備え得る。それぞれの位置センサー４１乃至４５は、回転板３０に設置された位置指示ピン４０の位置を感知し、感知信号を外部に出力する。この時、位置センサー４１乃至４５及び位置指示ピン４０は、回転板３０の回転に沿って、フィルター２１乃至２４のそれぞれがフィルターモジュール２０の入力コネクタ２２２及び出力コネクタ２２４に対応して位置することを感知するように配置される。
【００１９】
また、固定機構部３６は、固定用ジグを回転板３０（又は回転板に形成された溝又はホール）に押すように構成され得る。固定機構部３６は、回転板３０が適切な位置にある場合に、回転板３０が外部の衝撃などにより回転するか又は移動しないように固定する機能をする。
【００２０】
上述したように、本発明の一実施形態によるデバイス選択構造は、スイッチング構造を使用せず、フィルターの入力及び出力ポートをフィルターモジュールの入力及び出力コネクタに接続させる。したがって、上記デバイス選択構造は、信号損失を減少させることができ、より簡単であり低コストで実現されることができる。
【００２１】
一方、上記フィルターは、球状又は球に近接した（quasi-spherical）形状を有し得、このような形状のフィルターは、本願出願人により先出願された大韓民国特許出願第２００９−６３２２２号（名称：マルチモード共振器、発明者:キムドックヨン（Duk Yong, KIM）、パクナムシン（Nam Sin, PARK）、出願日：２００９年７月１０日）に開示されている。大韓民国特許出願第２００９−６３２２２号に開示されたフィルターは、球状の空洞（cavity）を有するハウジングと、ハウジングの空洞に収容される誘電体共振器と、誘電体共振器の中心に基づいて相互に独立して直交する第１の軸、第２の軸、及び第３の軸の中の１つの軸上に存在する１地点と他の１つの軸上に存在する１地点とを接続する少なくとも１つの送信ラインを備え、このような送信ラインの一端に入出力コネクタが設置される構造を有する。
【００２２】
図４は、本発明の他の実施形態によるデバイス選択構造の主要部の概略的な斜視図である。図４を参照すると、上記デバイス選択構造は、回転板３０の上面に設置されたフィルター２１乃至２４に加えて、複数のフィルター５１、５２、及び５３が回転板３０の下面にも設置され、フィルターモジュールが複数のフィルター５１、５２、及び５３の中の１つに接続される入力及び出力コネクタをさらに含む点を除外しては、図２及び図３に示す第１の実施形態の構造と同様である。
【００２３】
このような構成において、第１の信号は、回転板３０の上面に設置された第１のグループの複数のフィルター２１乃至２４を用いて処理されると同時に、第２の信号は、回転板３０の下面に設置された第２のグループの複数のフィルター５１乃至５３を用いて処理されることができる。
【００２４】
上述したように、本発明の一実施形態によるデバイス選択構造が構成され得る。一方、本発明では、具体的な実施形態を例を挙げて説明したが、本発明の範囲及び趣旨を逸脱することなく、ここに説明する実施形態の様々な変更及び修正が可能あるということは、当該技術分野における通常の知識を有する者には明らかである。例えば、第１の実施形態では、４個のフィルターが使用されると説明したが、フィルターの個数は、２個以上であり得る。また、図４を参照してフィルターが２つのレイヤーで備えられると説明したが、これらは、より多くの層に積層してもよい。
【００２５】
図面では、フィルターの入力及び出力ポートとフィルターモジュールの入力及び出力コネクタとがフィルターの横に設置されている。他方、これらは、上下側などのような様々な位置に設置されてもよい。この時、フィルターの入力及び出力ポートは、接触方式でフィルターモジュールの入力及び出力コネクタに接続されてもよい。
【００２６】
フィルターが円形の回転板上に回転自在に設置されると説明したが、これらは、線形移動可能であるように線形的に設置される。
【００２７】
本発明のデバイスがフィルターである場合を例を挙げて説明したが、これは、多くの他のデバイスにも適用可能である。したがって、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【符号の説明】
【００２８】
２０  フィルターモジュール
２１  第１のフィルター
２２  第２のフィルター
２３  第３のフィルター
２４  第４のフィルター
３０  回転板
【図１】
0005538554.tif 000002
【図２】
0005538554.tif 000003
【図３】
0005538554.tif 000004
【図４】
0005538554.tif 000005